【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
アップリンク制御チャネルを搬送するためのリソースエレメントの第１のセットを選択することと、
第１のシンボル期間中に、前記アップリンク制御チャネルを搬送する前記リソースエレメントの第１のセットの少なくとも一部分を、第１のアクセス端末に割り当てることと、
前記リソースエレメントの第１のセットに関連する１つまたは複数の構成パラメータを含む構成メッセージを前記第１のアクセス端末に送信することと、
アップリンクデータチャネルを搬送するためのリソースエレメントの第２のセットを選択すること、ここにおいて、前記リソースエレメントの第２のセットが、前記リソースエレメントの第１のセットと共通サブフレーム中で多重化される、と、
第２のシンボル期間中に、前記リソースエレメントの第２のセットの少なくとも一部分を、第２のアクセス端末に割り当てることと、
前記リソースエレメントの第２のセットのための前記サブフレーム内の開始時間を識別する許可メッセージを前記第２のアクセス端末に送信することと、
前記第１のシンボル期間の間、前記リソースエレメントの第１のセットの前記割り当てられた一部分を介して、前記第２のアクセス端末からのシグナリングおよび前記第１のアクセス端末からのアップリンク制御シグナリングを受信することと、
前記リソースエレメントの第２のセットの前記割り当てられた一部分を介して、前記第２のアクセス端末からのアップリンクデータシグナリングを受信することと
を備える、通信方法。
【請求項２】
前記アップリンク制御チャネルを搬送するためのリソースエレメントの第３のセットを選択することと、
前記リソースエレメントの第３のセットに関連する１つまたは複数の他の構成パラメータを含む他の構成メッセージを前記１つまたは複数のアクセス端末に送信することと、
前記リソースエレメントの第３のセットを介して前記１つまたは複数のアクセス端末からアップリンク制御シグナリングを受信することと
をさらに備える、請求項１に記載の方法。
【請求項３】
前記１つまたは複数の構成パラメータは、前記リソースエレメントの第１のセットが位置する１つまたは複数のアップリンクサブフレームを識別するサブフレーム識別子、前記リソースエレメントの第１のセットが位置する１つまたは複数のシンボル期間を識別するシンボル期間識別子、前記リソースエレメントの第１のセットが位置する１つまたは複数のサブキャリアを識別するサブキャリア識別子、またはそれらの組合せを含む、請求項１に記載の方法。
【請求項４】
前記構成メッセージが、個々の無線リソース制御（ＲＲＣ）メッセージとして別々に前記１つまたは複数のアクセス端末の各々に送信される、請求項１に記載の方法。
【請求項５】
前記構成メッセージが、共通ダウンリンク制御情報（ＤＣＩ）メッセージとしてまとめて前記１つまたは複数のアクセス端末の各々に送信される、請求項１に記載の方法。
【請求項６】
前記許可メッセージが、前記アップリンクデータチャネルを搬送するリソースエレメントの前記選択されたセットの第１のサブキャリアインターレースのための第１の開始時間と、前記アップリンクデータチャネルを搬送するリソースエレメントの前記選択されたセットの第２のサブキャリアインターレースのための第２の開始時間とを識別する、請求項１に記載の方法。
【請求項７】
前記受信されたシグナリングが、前記第２のアクセス端末に関連するシグネチャを有するか、またはダミーシグナリングのために予約されたサブキャリアインターレース上で受信された、ダミー信号を備える、請求項１に記載の方法。
【請求項８】
前記アップリンクデータチャネルのための第１の送信電力を設定することと、
前記アップリンクデータチャネルのための前記第１の送信電力に基づいて、前記アップリンク制御チャネルのための第２の送信電力を設定することと、
前記アップリンク制御チャネルのための少なくとも前記第２の送信電力を示す電力制御コマンドを前記１つまたは複数のアクセス端末に送信することと
をさらに備える、請求項１に記載の方法。
【請求項９】
アップリンク制御チャネルを搬送するためのリソースエレメントの第１のセットを選択するための手段と、
第１のシンボル期間中に、前記アップリンク制御チャネルを搬送する前記リソースエレメントの第１のセットの少なくとも一部分を、第１のアクセス端末に割り当てるための手段と、
前記リソースエレメントの第１のセットに関連する１つまたは複数の構成パラメータを含む構成メッセージを第１のアクセス端末に送信するための手段と、
アップリンクデータチャネルを搬送するためのリソースエレメントの第２のセットを選択するための手段、ここにおいて、前記リソースエレメントの第２のセットが、前記リソースエレメントの第１のセットと共通サブフレーム中で多重化される、と、
第２のシンボル期間中に、前記リソースエレメントの第２のセットの少なくとも一部分を、第２のアクセス端末に割り当てるための手段と、
前記リソースエレメントの第２のセットのための前記サブフレーム内の開始時間を識別する許可メッセージを前記第２のアクセス端末に送信するための手段と、
前記第１のシンボル期間の間、前記リソースエレメントの第１のセットの前記割り当てられた一部分を介して、前記第２のアクセス端末からのシグナリングおよび前記第１のアクセス端末からのアップリンク制御シグナリングを受信するための手段と、
前記リソースエレメントの第２のセットの前記割り当てられた一部分を介して、前記第２のアクセス端末からのアップリンクデータシグナリングを受信するための手段と
を備える、通信装置。
【請求項１０】
第１のアクセス端末による通信方法であって、
アクセスポイントから、アップリンク制御チャネルのための１つまたは複数の構成パラメータを含む構成メッセージを受信することと、
前記構成メッセージに基づいて、前記アップリンク制御チャネルを搬送するように構成されたリソースエレメントの第１のセットを決定することと、
前記アクセスポイントから、アップリンクデータチャネルのためのサブフレーム内の開始時間を識別する許可メッセージを受信することと、
前記許可メッセージに基づいて、前記アップリンクデータチャネルを搬送するように構成されたリソースエレメントの第２のセットを決定すること、ここにおいて、前記アップリンクデータチャネルを搬送する前記リソースエレメントの第２のセットが、第２のアクセス端末のための前記アップリンク制御チャネルを搬送するリソースエレメントの第３のセットと前記サブフレーム中で多重化される、と、
前記アクセスポイントから、第１のシンボル期間中に、前記リソースエレメントの第３のセットのいずれも受信しないことと、
前記アクセスポイントから、第２のシンボル期間中に、前記アップリンクデータチャネルを搬送する前記リソースエレメントの決定されたセットの少なくとも一部分の割り当てを受信することと、
前記アクセスポイントに、前記第１のシンボル期間の間に、前記リソースエレメントの第３のセットを介したシグナリング、前記リソースエレメントの第２のセットを介したアップリンクデータシグナリング、および前記リソースエレメントの第１のセットを介したアップリンク制御シグナリングを送信することと
を備える、通信方法。
【請求項１１】
前記アクセスポイントから、前記アップリンク制御チャネルのための１つまたは複数の他の構成パラメータを含む他の構成メッセージを受信することと、
前記他の構成メッセージに基づいて、前記アップリンク制御チャネルを搬送するように構成されたリソースエレメントの他のセットを決定することと、
リソースエレメントの前記他の決定されたセットを介して前記アクセスポイントにアップリンク制御シグナリングを送信することと
さらに備える、請求項１０に記載の方法。
【請求項１２】
前記許可メッセージが、前記アップリンクデータチャネルを搬送するリソースエレメントの前記決定されたセットの第１のサブキャリアインターレースのための第１の開始時間と、前記アップリンクデータチャネルを搬送するリソースエレメントの前記決定されたセットの第２のサブキャリアインターレースのための第２の開始時間とを識別する、請求項１０に記載の方法。
【請求項１３】
前記送信されたシグナリングが、前記シグナリングを送信するアクセス端末に関連するシグネチャを有するか、またはダミーシグナリングのために予約されたサブキャリアインターレース上で送信された、ダミー信号を備える、請求項１０に記載の方法。
【請求項１４】
第１のアクセス端末での通信装置であって、
アクセスポイントから、アップリンク制御チャネルのための１つまたは複数の構成パラメータを含む構成メッセージを受信するための手段と、
前記構成メッセージに基づいて、前記アップリンク制御チャネルを搬送するように構成されたリソースエレメントの第１のセットを決定するための手段と、
前記アクセスポイントから、アップリンクデータチャネルのためのサブフレーム内の開始時間を識別する許可メッセージを受信するための手段と、
前記許可メッセージに基づいて、前記アップリンクデータチャネルを搬送するように構成されたリソースエレメントの第２のセットを決定するための手段、ここにおいて、前記アップリンクデータチャネルを搬送する前記リソースエレメントの第２のセットが、第２のアクセス端末のための前記アップリンク制御チャネルを搬送するリソースエレメントの第３のセットと前記サブフレーム中で多重化される、と、
前記アクセスポイントから、第２のシンボル期間中に、前記アップリンクデータチャネルを搬送する前記リソースエレメントの決定されたセットの少なくとも一部分の割り当てを受信することと、
前記アクセスポイントから、第１のシンボル期間中に、前記リソースエレメントの第３のセットのいずれも受信しないとき、前記アクセスポイントに、前記第１のシンボル期間の間に、前記リソースエレメントの第３のセットを介したシグナリング、前記第２のシンボル期間の間に、前記リソースエレメントの第２のセットを介したアップリンクデータシグナリング、および前記リソースエレメントの決定されたセットを介したアップリンク制御シグナリングを送信するための手段と
を備える、通信装置。
【請求項１５】
ワイヤレス通信装置中の少なくとも１つのプロセッサによって実行されたとき、前記ワイヤレス通信装置に請求項１−８、および１０−１３のいずれか１項に記載の方法を実行させるコードを備える非一時的コンピュータ可読媒体。。
【手続補正２】
【補正対象書類名】明細書
【補正対象項目名】００９１
【補正方法】変更
【補正の内容】
【００９１】
[00102]上記の開示は、様々な例示的な態様を示しているが、添付の特許請求の範囲によって定義される範囲から逸脱することなく、様々な変更および修正が、示された例に対して行われ得ることに留意されたい。本開示は、具体的に示された例のみに限定されるものではない。たとえば、別段に記載されていない限り、本明細書で説明された本開示の態様による方法クレームの機能、ステップおよび／またはアクションは、特定の順序で実施されなくてもよい。さらに、いくつかの態様は、単数形で説明または請求されていることがあるが、単数形への限定が明示的に述べられていない限り、複数形が企図される。
以下に、本願出願の当初の特許請求の範囲に記載された発明を付記する。
［Ｃ１］
アップリンク制御チャネルを搬送するためのリソースエレメントのセットを選択することと、
リソースエレメントの前記選択されたセットに関連する１つまたは複数の構成パラメータを含む構成メッセージを１つまたは複数のアクセス端末に送信することと、
リソースエレメントの前記選択されたセットを介して前記１つまたは複数のアクセス端末からアップリンク制御シグナリングを受信することと
を備える、通信方法。
［Ｃ２］
前記アップリンク制御チャネルを搬送するためのリソースエレメントの他のセットを選択することと、
リソースエレメントの前記他の選択されたセットに関連する１つまたは複数の他の構成パラメータを含む他の構成メッセージを前記１つまたは複数のアクセス端末に送信することと、
リソースエレメントの前記他の選択されたセットを介して前記１つまたは複数のアクセス端末からアップリンク制御シグナリングを受信することと
をさらに備える、［Ｃ１］に記載の方法。
［Ｃ３］
前記１つまたは複数の構成パラメータは、リソースエレメントの前記選択されたセットが位置する１つまたは複数のアップリンクサブフレームを識別するサブフレーム識別子、リソースエレメントの前記選択されたセットが位置する１つまたは複数のシンボル期間を識別するシンボル期間識別子、リソースエレメントの前記選択されたセットが位置する１つまたは複数のサブキャリアを識別するサブキャリア識別子、またはそれらの組合せを含む、［Ｃ１］に記載の方法。
［Ｃ４］
前記構成メッセージが、個々の無線リソース制御（ＲＲＣ）メッセージとして別々に前記１つまたは複数のアクセス端末の各々に送信される、［Ｃ１］に記載の方法。
［Ｃ５］
前記構成メッセージが、共通ダウンリンク制御情報（ＤＣＩ）メッセージとしてまとめて前記１つまたは複数のアクセス端末の各々に送信される、［Ｃ１］に記載の方法。
［Ｃ６］
アップリンクデータチャネルを搬送するためのリソースエレメントの他のセットを選択することと、ここにおいて、前記アップリンクデータチャネルを搬送するリソースエレメントの前記選択されたセットが、前記アップリンク制御チャネルを搬送するリソースエレメントの前記選択されたセットと共通サブフレーム中で多重化される、
前記アップリンクデータチャネルを搬送するリソースエレメントの前記選択されたセットのための前記サブフレーム内の開始時間を識別する許可メッセージを前記１つまたは複数のアクセス端末に送信することと、
前記アップリンクデータチャネルを搬送するリソースエレメントの前記選択されたセットを介して、前記１つまたは複数のアクセス端末からアップリンクデータシグナリングを受信することと
をさらに備える、［Ｃ１］に記載の方法。
［Ｃ７］
前記許可メッセージが、前記アップリンクデータチャネルを搬送するリソースエレメントの前記選択されたセットの第１のサブキャリアインターレースのための第１の開始時間と、前記アップリンクデータチャネルを搬送するリソースエレメントの前記選択されたセットの第２のサブキャリアインターレースのための第２の開始時間とを識別する、［Ｃ６］に記載の方法。
［Ｃ８］
第１のシンボル期間中に、前記アップリンク制御チャネルを搬送するリソースエレメントの前記選択されたセットの少なくとも一部分を、第１のアクセス端末に割り当てることと、
第２のシンボル期間中に、前記アップリンクデータチャネルを搬送するリソースエレメントの前記選択されたセットの少なくとも一部分を、第２のアクセス端末に割り当てることと、
前記第１のシンボル期間の間に、前記アップリンク制御チャネルを搬送するリソースエレメントの前記選択されたセットの前記割り当てられた部分を介して、前記第２のアクセス端末からシグナリングを受信することと
をさらに備える、［Ｃ６］に記載の方法。
［Ｃ９］
前記受信されたシグナリングが、前記第２のアクセス端末に関連するシグネチャを有するか、またはダミーシグナリングのために予約されたサブキャリアインターレース上で受信された、ダミー信号を備える、［Ｃ８］に記載の方法。
［Ｃ１０］
前記アップリンクデータチャネルのための第１の送信電力を設定することと、
前記アップリンクデータチャネルのための前記第１の送信電力に基づいて、前記アップリンク制御チャネルのための第２の送信電力を設定することと、
前記アップリンク制御チャネルのための少なくとも前記第２の送信電力を示す電力制御コマンドを前記１つまたは複数のアクセス端末に送信することと
をさらに備える、［Ｃ６］に記載の方法。
［Ｃ１１］
少なくとも１つのプロセッサと、
前記少なくとも１つのプロセッサに結合された少なくとも１つのメモリと、前記少なくとも１つのプロセッサおよび前記少なくとも１つのメモリが、アップリンク制御チャネルを搬送するためのリソースエレメントのセットを選択するように構成された、
リソースエレメントの前記選択されたセットに関連する１つまたは複数の構成パラメータを含む構成メッセージを１つまたは複数のアクセス端末に送信することと、リソースエレメントの前記選択されたセットを介して前記１つまたは複数のアクセス端末からアップリンク制御シグナリングを受信することとを行うように構成された少なくとも１つのトランシーバと
を備える、通信装置。
［Ｃ１２］
前記少なくとも１つのプロセッサおよび前記少なくとも１つのメモリが、前記アップリンク制御チャネルを搬送するためのリソースエレメントの他のセットを選択するようにさらに構成され、
前記少なくとも１つのトランシーバが、リソースエレメントの前記他の選択されたセットに関連する１つまたは複数の他の構成パラメータを含む他の構成メッセージを前記１つまたは複数のアクセス端末に送信することと、リソースエレメントの前記他の選択されたセットを介して前記１つまたは複数のアクセス端末からアップリンク制御シグナリングを受信することとを行うようにさらに構成された、［Ｃ１１］に記載の装置。
［Ｃ１３］
前記１つまたは複数の構成パラメータは、リソースエレメントの前記選択されたセットが位置する１つまたは複数のアップリンクサブフレームを識別するサブフレーム識別子、リソースエレメントの前記選択されたセットが位置する１つまたは複数のシンボル期間を識別するシンボル期間識別子、リソースエレメントの前記選択されたセットが位置する１つまたは複数のサブキャリアを識別するサブキャリア識別子、またはそれらの組合せを含む、［Ｃ１１］に記載の装置。
［Ｃ１４］
前記少なくとも１つのトランシーバが、前記構成メッセージを個々の無線リソース制御（ＲＲＣ）メッセージとして別々に前記１つまたは複数のアクセス端末の各々に送信するようにさらに構成された、［Ｃ１１］に記載の装置。
［Ｃ１５］
前記少なくとも１つのトランシーバが、前記構成メッセージを共通ダウンリンク制御情報（ＤＣＩ）メッセージとしてまとめて前記１つまたは複数のアクセス端末の各々に送信するようにさらに構成された、［Ｃ１１］に記載の装置。
［Ｃ１６］
前記少なくとも１つのプロセッサおよび前記少なくとも１つのメモリが、アップリンクデータチャネルを搬送するためのリソースエレメントの他のセットを選択するようにさらに構成され、ここにおいて、前記アップリンクデータチャネルを搬送するリソースエレメントの前記選択されたセットが、前記アップリンク制御チャネルを搬送するリソースエレメントの前記選択されたセットと共通サブフレーム中で多重化され、
前記少なくとも１つのトランシーバが、前記アップリンクデータチャネルを搬送するリソースエレメントの前記選択されたセットのための前記サブフレーム内の開始時間を識別する許可メッセージを前記１つまたは複数のアクセス端末に送信することと、前記アップリンクデータチャネルを搬送するリソースエレメントの前記選択されたセットを介して、前記１つまたは複数のアクセス端末からアップリンクデータシグナリングを受信することとを行うようにさらに構成された、［Ｃ１］に記載の装置。
［Ｃ１７］
前記許可メッセージが、前記アップリンクデータチャネルを搬送するリソースエレメントの前記選択されたセットの第１のサブキャリアインターレースのための第１の開始時間と、前記アップリンクデータチャネルを搬送するリソースエレメントの前記選択されたセットの第２のサブキャリアインターレースのための第２の開始時間とを識別する、［Ｃ１６］に記載の装置。
［Ｃ１８］
前記少なくとも１つのプロセッサおよび前記少なくとも１つのメモリが、第１のシンボル期間中に、前記アップリンク制御チャネルを搬送するリソースエレメントの前記選択されたセットの少なくとも一部分を、第１のアクセス端末に割り当てることと、第２のシンボル期間中に、前記アップリンクデータチャネルを搬送するリソースエレメントの前記選択されたセットの少なくとも一部分を、第２のアクセス端末に割り当てることとを行うようにさらに構成され、
前記少なくとも１つのトランシーバが、前記第１のシンボル期間の間に、前記アップリンク制御チャネルを搬送するリソースエレメントの前記選択されたセットの前記割り当てられた部分を介して、前記第２のアクセス端末からシグナリングを受信するようにさらに構成された、［Ｃ１６］に記載の装置。
［Ｃ１９］
前記受信されたシグナリングが、前記第２のアクセス端末に関連するシグネチャを有するか、またはダミーシグナリングのために予約されたサブキャリアインターレース上で受信された、ダミー信号を備える、［Ｃ１８］に記載の装置。
［Ｃ２０］
前記少なくとも１つのプロセッサおよび前記少なくとも１つのメモリが、前記アップリンクデータチャネルのための第１の送信電力を設定することと、前記アップリンクデータチャネルのための前記第１の送信電力に基づいて、前記アップリンク制御チャネルのための第２の送信電力を設定することとを行うようにさらに構成され、
前記少なくとも１つのトランシーバが、前記アップリンク制御チャネルのための少なくとも前記第２の送信電力を示す電力制御コマンドを前記１つまたは複数のアクセス端末に送信するようにさらに構成された、［Ｃ１６］に記載の装置。
［Ｃ２１］
アップリンク制御チャネルを搬送するためのリソースエレメントのセットを選択するための手段と、
リソースエレメントの前記選択されたセットに関連する１つまたは複数の構成パラメータを含む構成メッセージを１つまたは複数のアクセス端末に送信するための手段と、
リソースエレメントの前記選択されたセットを介して前記１つまたは複数のアクセス端末からアップリンク制御シグナリングを受信するための手段と
を備える、通信装置。
［Ｃ２２］
前記１つまたは複数の構成パラメータは、リソースエレメントの前記選択されたセットが位置する１つまたは複数のアップリンクサブフレームを識別するサブフレーム識別子、リソースエレメントの前記選択されたセットが位置する１つまたは複数のシンボル期間を識別するシンボル期間識別子、リソースエレメントの前記選択されたセットが位置する１つまたは複数のサブキャリアを識別するサブキャリア識別子、またはそれらの組合せを含む、［Ｃ２１］に記載の装置。
［Ｃ２３］
アップリンクデータチャネルを搬送するためのリソースエレメントの他のセットを選択するための手段と、ここにおいて、前記アップリンクデータチャネルを搬送するリソースエレメントの前記選択されたセットが、前記アップリンク制御チャネルを搬送するリソースエレメントの前記選択されたセットと共通サブフレーム中で多重化される、
前記アップリンクデータチャネルを搬送するリソースエレメントの前記選択されたセットのための前記サブフレーム内の開始時間を識別する許可メッセージを前記１つまたは複数のアクセス端末に送信するための手段と、
前記アップリンクデータチャネルを搬送するリソースエレメントの前記選択されたセットを介して、前記１つまたは複数のアクセス端末からアップリンクデータシグナリングを受信するための手段と
をさらに備える、［Ｃ２１］に記載の装置。
［Ｃ２４］
第１のシンボル期間中に、前記アップリンク制御チャネルを搬送するリソースエレメントの前記選択されたセットの少なくとも一部分を、第１のアクセス端末に割り当てるための手段と、
第２のシンボル期間中に、前記アップリンクデータチャネルを搬送するリソースエレメントの前記選択されたセットの少なくとも一部分を、第２のアクセス端末に割り当てるための手段と、
前記第１のシンボル期間の間に、前記アップリンク制御チャネルを搬送するリソースエレメントの前記選択されたセットの前記割り当てられた部分を介して、前記第２のアクセス端末からシグナリングを受信するための手段と
をさらに備える、［Ｃ２３］に記載の装置。
［Ｃ２５］
前記アップリンクデータチャネルのための第１の送信電力を設定するための手段と、  前記アップリンクデータチャネルのための前記第１の送信電力に基づいて、前記アップリンク制御チャネルのための第２の送信電力を設定するための手段と、
前記アップリンク制御チャネルのための少なくとも前記第２の送信電力を示す電力制御コマンドを前記１つまたは複数のアクセス端末に送信するための手段と
をさらに備える、［Ｃ２３］に記載の装置。
［Ｃ２６］
少なくとも１つのプロセッサによって実行されたとき、前記少なくとも１つのプロセッサに通信のための動作を実施させるコードを備える非一時的コンピュータ可読媒体であって、前記非一時的コンピュータ可読媒体が、
アップリンク制御チャネルを搬送するためのリソースエレメントのセットを選択するためのコードと、
アップリンク制御チャネルを搬送するためのリソースエレメントのセットを選択するためのコードと、
リソースエレメントの前記選択されたセットに関連する１つまたは複数の構成パラメータを含む構成メッセージを１つまたは複数のアクセス端末に送信するためのコードと、  リソースエレメントの前記選択されたセットを介して前記１つまたは複数のアクセス端末からアップリンク制御シグナリングを受信するためのコードと
を備える、非一時的コンピュータ可読媒体。
［Ｃ２７］
前記１つまたは複数の構成パラメータは、リソースエレメントの前記選択されたセットが位置する１つまたは複数のアップリンクサブフレームを識別するサブフレーム識別子、リソースエレメントの前記選択されたセットが位置する１つまたは複数のシンボル期間を識別するシンボル期間識別子、リソースエレメントの前記選択されたセットが位置する１つまたは複数のサブキャリアを識別するサブキャリア識別子、またはそれらの組合せを含む、［Ｃ２６］に記載の非一時的コンピュータ可読媒体。
［Ｃ２８］
アップリンクデータチャネルを搬送するためのリソースエレメントの他のセットを選択するためのコードと、ここにおいて、前記アップリンクデータチャネルを搬送するリソースエレメントの前記選択されたセットが、前記アップリンク制御チャネルを搬送するリソースエレメントの前記選択されたセットと共通サブフレーム中で多重化される、
前記アップリンクデータチャネルを搬送するリソースエレメントの前記選択されたセットのための前記サブフレーム内の開始時間を識別する許可メッセージを前記１つまたは複数のアクセス端末に送信するためのコードと、
前記アップリンクデータチャネルを搬送するリソースエレメントの前記選択されたセットを介して、前記１つまたは複数のアクセス端末からアップリンクデータシグナリングを受信するためのコードと
をさらに備える、［Ｃ２６］に記載の非一時的コンピュータ可読媒体。
［Ｃ２９］
第１のシンボル期間中に、前記アップリンク制御チャネルを搬送するリソースエレメントの前記選択されたセットの少なくとも一部分を、第１のアクセス端末に割り当てるためのコードと、
第２のシンボル期間中に、前記アップリンクデータチャネルを搬送するリソースエレメントの前記選択されたセットの少なくとも一部分を、第２のアクセス端末に割り当てるためのコードと、
前記第１のシンボル期間の間に、前記アップリンク制御チャネルを搬送するリソースエレメントの前記選択されたセットの前記割り当てられた部分を介して、前記第２のアクセス端末からシグナリングを受信するためのコードと
をさらに備える、［Ｃ２８］に記載の非一時的コンピュータ可読媒体。
［Ｃ３０］
前記アップリンクデータチャネルのための第１の送信電力を設定するためのコードと、  前記アップリンクデータチャネルのための前記第１の送信電力に基づいて、前記アップリンク制御チャネルのための第２の送信電力を設定するためのコードと、
前記アップリンク制御チャネルのための少なくとも前記第２の送信電力を示す電力制御コマンドを前記１つまたは複数のアクセス端末に送信するためのコードと
をさらに備える、［Ｃ２８］に記載の非一時的コンピュータ可読媒体。
［Ｃ３１］
アクセスポイントから、アップリンク制御チャネルのための１つまたは複数の構成パラメータを含む構成メッセージを受信することと、
前記構成メッセージに基づいて、前記アップリンク制御チャネルを搬送するように構成されたリソースエレメントのセットを決定することと、
リソースエレメントの前記決定されたセットを介して前記アクセスポイントにアップリンク制御シグナリングを送信することと
を備える、通信方法。
［Ｃ３２］
前記アクセスポイントから、前記アップリンク制御チャネルのための１つまたは複数の他の構成パラメータを含む他の構成メッセージを受信することと、
前記他の構成メッセージに基づいて、前記アップリンク制御チャネルを搬送するように構成されたリソースエレメントの他のセットを決定することと、
リソースエレメントの前記他の決定されたセットを介して前記アクセスポイントにアップリンク制御シグナリングを送信することと
さらに備える、［Ｃ３１］に記載の方法。
［Ｃ３３］
前記１つまたは複数の構成パラメータは、リソースエレメントの前記決定されたセットが位置する１つまたは複数のアップリンクサブフレームを識別するサブフレーム識別子、リソースエレメントの前記決定されたセットが位置する１つまたは複数のシンボル期間を識別するシンボル期間識別子、リソースエレメントの前記決定されたセットが位置する１つまたは複数のサブキャリアを識別するサブキャリア識別子、またはそれらの組合せを含む、［Ｃ３１］に記載の方法。
［Ｃ３４］
前記構成メッセージが、前記アクセスポイントから個々の無線リソース制御（ＲＲＣ）メッセージとして受信される、［Ｃ３１］に記載の方法。
［Ｃ３５］
前記構成メッセージが、前記アクセスポイントから共通ダウンリンク制御情報（ＤＣＩ）メッセージとして受信される、［Ｃ３１］に記載の方法。
［Ｃ３６］
前記アクセスポイントから、アップリンクデータチャネルのためのサブフレーム内の開始時間を識別する許可メッセージを受信することと、
前記許可メッセージに基づいて、前記アップリンクデータチャネルを搬送するように構成されたリソースエレメントの他のセットを決定することと、ここにおいて、前記アップリンクデータチャネルを搬送するリソースエレメントの前記決定されたセットが、前記アップリンク制御チャネルを搬送するリソースエレメントの前記決定されたセットと前記サブフレーム中で多重化される、
前記アップリンクデータチャネルを搬送するリソースエレメントの前記決定されたセットを介して前記アクセスポイントにアップリンクデータシグナリングを送信することとをさらに備える、［Ｃ３１］に記載の方法。
［Ｃ３７］
前記許可メッセージが、前記アップリンクデータチャネルを搬送するリソースエレメントの前記決定されたセットの第１のサブキャリアインターレースのための第１の開始時間と、前記アップリンクデータチャネルを搬送するリソースエレメントの前記決定されたセットの第２のサブキャリアインターレースのための第２の開始時間とを識別する、［Ｃ３６］に記載の方法。
［Ｃ３８］
前記アクセスポイントから、第１のシンボル期間中に、前記アップリンク制御チャネルを搬送するリソースエレメントの前記決定されたセットのいずれの割当ても受信しないことと、
前記アクセスポイントから、第２のシンボル期間中に、前記アップリンクデータチャネルを搬送するリソースエレメントの前記決定されたセットの少なくとも一部分の割当てを受信することと、
前記第１のシンボル期間の間に、前記アップリンク制御チャネルを搬送するリソースエレメントの前記決定されたセットの前記割り当てられた部分を介して、前記アクセスポイントにシグナリングを送信することと
をさらに備える、［Ｃ３６］に記載の方法。
［Ｃ３９］
前記送信されたシグナリングが、前記シグナリングを送信するアクセス端末に関連するシグネチャを有するか、またはダミーシグナリングのために予約されたサブキャリアインターレース上で送信された、ダミー信号を備える、［Ｃ３８］に記載の方法。
［Ｃ４０］
前記アクセスポイントから電力制御コマンドを受信することと、
前記電力制御コマンドに基づいて第１の送信電力において前記アップリンクデータチャネルを介してアップリンクデータシグナリングを送信することと、
前記電力制御コマンドと前記第１の送信電力とに基づいて第２の送信電力において前記アップリンク制御チャネルを介してアップリンク制御シグナリングを送信することと
をさらに備える、［Ｃ３６］に記載の方法。
［Ｃ４１］
アクセスポイントから、アップリンク制御チャネルのための１つまたは複数の構成パラメータを含む構成メッセージを受信するように構成された少なくとも１つのトランシーバと、
少なくとも１つのプロセッサと、
前記少なくとも１つのプロセッサに結合された少なくとも１つのメモリとを備え、前記少なくとも１つのプロセッサおよび前記少なくとも１つのメモリが、前記構成メッセージに基づいて、前記アップリンク制御チャネルを搬送するように構成されたリソースエレメントのセットを決定するように構成され、
ここにおいて、前記少なくとも１つのトランシーバが、リソースエレメントの前記決定されたセットを介して前記アクセスポイントにアップリンク制御シグナリングを送信するようにさらに構成された、通信装置。
［Ｃ４２］
前記少なくとも１つのトランシーバが、前記アクセスポイントから、前記アップリンク制御チャネルのための１つまたは複数の他の構成パラメータを含む他の構成メッセージを受信するようにさらに構成され、
前記少なくとも１つのプロセッサおよび前記少なくとも１つのメモリが、前記他の構成メッセージに基づいて、前記アップリンク制御チャネルを搬送するように構成されたリソースエレメントの他のセットを決定するようにさらに構成され、
前記少なくとも１つのトランシーバが、リソースエレメントの前記他の決定されたセットを介して前記アクセスポイントにアップリンク制御シグナリングを送信するようにさらに構成された、［Ｃ４１］に記載の装置。
［Ｃ４３］
前記１つまたは複数の構成パラメータは、リソースエレメントの前記決定されたセットが位置する１つまたは複数のアップリンクサブフレームを識別するサブフレーム識別子、リソースエレメントの前記決定されたセットが位置する１つまたは複数のシンボル期間を識別するシンボル期間識別子、リソースエレメントの前記決定されたセットが位置する１つまたは複数のサブキャリアを識別するサブキャリア識別子、またはそれらの組合せを含む、［Ｃ４１］に記載の装置。
［Ｃ４４］
前記少なくとも１つのトランシーバが、前記アクセスポイントから前記構成メッセージを個々の無線リソース制御（ＲＲＣ）メッセージとして受信するようにさらに構成された、［Ｃ４１］に記載の装置。
［Ｃ４５］
前記少なくとも１つのトランシーバが、前記アクセスポイントから前記構成メッセージを共通ダウンリンク制御情報（ＤＣＩ）メッセージとして受信するようにさらに構成された、［Ｃ４１］に記載の装置。
［Ｃ４６］
前記少なくとも１つのトランシーバが、前記アクセスポイントから、アップリンクデータチャネルのためのサブフレーム内の開始時間を識別する許可メッセージを受信するようにさらに構成され、
前記少なくとも１つのプロセッサおよび前記少なくとも１つのメモリが、前記許可メッセージに基づいて、前記アップリンクデータチャネルを搬送するように構成されたリソースエレメントの他のセットを決定するようにさらに構成され、ここにおいて、前記アップリンクデータチャネルを搬送するリソースエレメントの前記決定されたセットが、前記アップリンク制御チャネルを搬送するリソースエレメントの前記決定されたセットと前記サブフレーム中で多重化され、
前記少なくとも１つのトランシーバが、前記アップリンクデータチャネルを搬送するリソースエレメントの前記決定されたセットを介して前記アクセスポイントにアップリンクデータシグナリングを送信するようにさらに構成された、［Ｃ４１］に記載の装置。
［Ｃ４７］
前記許可メッセージが、前記アップリンクデータチャネルを搬送するリソースエレメントの前記決定されたセットの第１のサブキャリアインターレースのための第１の開始時間と、前記アップリンクデータチャネルを搬送するリソースエレメントの前記決定されたセットの第２のサブキャリアインターレースのための第２の開始時間とを識別する、［Ｃ４６］に記載の装置。
［Ｃ４８］
前記少なくとも１つのトランシーバが、前記アクセスポイントから、第１のシンボル期間中に、前記アップリンク制御チャネルを搬送するリソースエレメントの前記決定されたセットのいずれの割当ても受信しないことと、前記アクセスポイントから、第２のシンボル期間中に、前記アップリンクデータチャネルを搬送するリソースエレメントの前記決定されたセットの少なくとも一部分の割当てを受信することと、前記第１のシンボル期間の間に、前記アップリンク制御チャネルを搬送するリソースエレメントの前記決定されたセットの前記割り当てられた部分を介して、前記アクセスポイントにシグナリングを送信することとを行うようにさらに構成された、［Ｃ４６］に記載の装置。
［Ｃ４９］
前記送信されたシグナリングが、前記シグナリングを送信するアクセス端末に関連するシグネチャを有するか、またはダミーシグナリングのために予約されたサブキャリアインターレース上で送信された、ダミー信号を備える、［Ｃ４８］に記載の装置。
［Ｃ５０］
前記少なくとも１つのトランシーバが、前記アクセスポイントから電力制御コマンドを受信することと、前記電力制御コマンドに基づいて第１の送信電力において前記アップリンクデータチャネルを介してアップリンクデータシグナリングを送信することと、前記電力制御コマンドと前記第１の送信電力とに基づいて第２の送信電力において前記アップリンク制御チャネルを介してアップリンク制御シグナリングを送信することとを行うようにさらに構成された、［Ｃ４６］に記載の装置。
［Ｃ５１］
アクセスポイントから、アップリンク制御チャネルのための１つまたは複数の構成パラメータを含む構成メッセージを受信するための手段と、
前記構成メッセージに基づいて、前記アップリンク制御チャネルを搬送するように構成されたリソースエレメントのセットを決定するための手段と、
リソースエレメントの前記決定されたセットを介して前記アクセスポイントにアップリンク制御シグナリングを送信するための手段と
を備える、通信装置。
［Ｃ５２］
前記１つまたは複数の構成パラメータは、リソースエレメントの前記決定されたセットが位置する１つまたは複数のアップリンクサブフレームを識別するサブフレーム識別子、リソースエレメントの前記決定されたセットが位置する１つまたは複数のシンボル期間を識別するシンボル期間識別子、リソースエレメントの前記決定されたセットが位置する１つまたは複数のサブキャリアを識別するサブキャリア識別子、またはそれらの組合せを含む、［Ｃ５１］に記載の装置。
［Ｃ５３］
前記アクセスポイントから、アップリンクデータチャネルのためのサブフレーム内の開始時間を識別する許可メッセージを受信するための手段と、
前記許可メッセージに基づいて、前記アップリンクデータチャネルを搬送するように構成されたリソースエレメントの他のセットを決定するための手段と、ここにおいて、前記アップリンクデータチャネルを搬送するリソースエレメントの前記決定されたセットが、前記アップリンク制御チャネルを搬送するリソースエレメントの前記決定されたセットと前記サブフレーム中で多重化される、
前記アップリンクデータチャネルを搬送するリソースエレメントの前記決定されたセットを介して前記アクセスポイントにアップリンクデータシグナリングを送信するための手段と
をさらに備える、［Ｃ５１］に記載の装置。
［Ｃ５４］
前記アクセスポイントから、第１のシンボル期間中に、前記アップリンク制御チャネルを搬送するリソースエレメントの前記決定されたセットのいずれの割当ても受信しないための手段と、
前記アクセスポイントから、第２のシンボル期間中に、前記アップリンクデータチャネルを搬送するリソースエレメントの前記決定されたセットの少なくとも一部分の割当てを受信するための手段と、
前記第１のシンボル期間の間に、前記アップリンク制御チャネルを搬送するリソースエレメントの前記決定されたセットの前記割り当てられた部分を介して、前記アクセスポイントにシグナリングを送信するための手段と
をさらに備える、［Ｃ５３］に記載の装置。
［Ｃ５５］
前記アクセスポイントから電力制御コマンドを受信するための手段と、
前記電力制御コマンドに基づいて第１の送信電力において前記アップリンクデータチャネルを介してアップリンクデータシグナリングを送信するための手段と、
前記電力制御コマンドと前記第１の送信電力とに基づいて第２の送信電力において前記アップリンク制御チャネルを介してアップリンク制御シグナリングを送信するための手段と
をさらに備える、［Ｃ５３］に記載の装置。
［Ｃ５６］
少なくとも１つのプロセッサによって実行されたとき、前記少なくとも１つのプロセッサに通信のための動作を実施させるコードを備える非一時的コンピュータ可読媒体であって、前記非一時的コンピュータ可読媒体が、
アクセスポイントから、アップリンク制御チャネルのための１つまたは複数の構成パラメータを含む構成メッセージを受信するためのコードと、
前記構成メッセージに基づいて、前記アップリンク制御チャネルを搬送するように構成されたリソースエレメントのセットを決定するためのコードと、
リソースエレメントの前記決定されたセットを介して前記アクセスポイントにアップリンク制御シグナリングを送信するためのコードと
を備える、非一時的コンピュータ可読媒体。
［Ｃ５７］
前記１つまたは複数の構成パラメータは、リソースエレメントの前記決定されたセットが位置する１つまたは複数のアップリンクサブフレームを識別するサブフレーム識別子、リソースエレメントの前記決定されたセットが位置する１つまたは複数のシンボル期間を識別するシンボル期間識別子、リソースエレメントの前記決定されたセットが位置する１つまたは複数のサブキャリアを識別するサブキャリア識別子、またはそれらの組合せを含む、［Ｃ５６］に記載の非一時的コンピュータ可読媒体。
［Ｃ５８］
前記アクセスポイントから、アップリンクデータチャネルのためのサブフレーム内の開始時間を識別する許可メッセージを受信するためのコードと、
前記許可メッセージに基づいて、前記アップリンクデータチャネルを搬送するように構成されたリソースエレメントの他のセットを決定するためのコードと、ここにおいて、前記アップリンクデータチャネルを搬送するリソースエレメントの前記決定されたセットが、前記アップリンク制御チャネルを搬送するリソースエレメントの前記決定されたセットと前記サブフレーム中で多重化される、
前記アップリンクデータチャネルを搬送するリソースエレメントの前記決定されたセットを介して前記アクセスポイントにアップリンクデータシグナリングを送信するためのコードと
をさらに備える、［Ｃ５６］に記載の非一時的コンピュータ可読媒体。
［Ｃ５９］
前記アクセスポイントから、第１のシンボル期間中に、前記アップリンク制御チャネルを搬送するリソースエレメントの前記決定されたセットのいずれの割当ても受信しないためのコードと、
前記アクセスポイントから、第２のシンボル期間中に、前記アップリンクデータチャネルを搬送するリソースエレメントの前記決定されたセットの少なくとも一部分の割当てを受信するためのコードと、
前記第１のシンボル期間の間に、前記アップリンク制御チャネルを搬送するリソースエレメントの前記決定されたセットの前記割り当てられた部分を介して、前記アクセスポイントにシグナリングを送信するためのコードと
をさらに備える、［Ｃ５８］に記載の非一時的コンピュータ可読媒体。
［Ｃ６０］
前記アクセスポイントから電力制御コマンドを受信するためのコードと、
前記電力制御コマンドに基づいて第１の送信電力において前記アップリンクデータチャネルを介してアップリンクデータシグナリングを送信するためのコードと、
前記電力制御コマンドと前記第１の送信電力とに基づいて第２の送信電力において前記アップリンク制御チャネルを介してアップリンク制御シグナリングを送信するためのコードと
をさらに備える、［Ｃ５８］に記載の非一時的コンピュータ可読媒体。